(57)【要約】【課題】省エネルギー静電容量式タッチパネル装置及び省エネルギー方法を提供する。【解決手段】静電容量式タッチパネル装置は正常モードの場合に、外部クロック生成器は操作クロック信号を提供するとともに、外部クロック生成器、信号生成器、電流検出器、電流−電圧変換回路、アナログ−デジタル変換回路、フィルター、インターフェースコントローラ、マイクロプロセッサ及び接触位置計算器が有効化される。静電容量式タッチパネル装置は省エネルギーモードの場合に、外部クロック生成器、アナログ−デジタル変換回路、フィルター、インターフェースコントローラ、マイクロプロセッサ及び接触位置計算器の電源を切ることによって、省エネルギーの目的を達成する。特に外部クロック生成器がオフすると、非常に省エネルギーすることが可能である。【選択図】図２
2010198596.tif 000002
【特許請求の範囲】
【請求項１】
静電容量式タッチパネル装置を制御する省エネルギー方法であって、前記静電容量式タッチパネル装置は、静電容量式タッチパネルと、第一クロック生成器と、信号生成器と、電流検出器と、電流−電圧変換回路と、アナログ−デジタル変換回路と、制御論理回路と、フィルターと、接触位置計算器とを含み、
（ａ）第二クロック信号と計時回線を提供するステップと、
（ｂ）前記静電容量式タッチパネル装置は正常モードの場合に、前記第一クロック生成器と、信号生成器と、電流検出器と、電流−電圧変換回路と、アナログ−デジタル変換回路と、フィルターと、接触位置計算器とを有効化するステップと、
（ｃ）前記静電容量式タッチパネルが接触されない時間は所定時間を過ぎたことを確認したと、前記静電容量式タッチパネル装置は省エネルギーモードになって、前記アナログ−デジタル変換回路と、フィルターと、接触位置計算器をオフし、前記第二クロック生成器及び計時回線を有効化するステップと、
（ｄ）前記計時回線によって、前記省エネルギーモードの短いアクティブ期間及び休止期間を計時し、前記短いアクティブ期間内で、前記信号生成器、電流検出器、電流−電圧変換回路及び制御論理回路が有効化され、前記静電容量式タッチパネルに接触されるか否かを検出し、前記休止期間期間内で、前記信号生成器、電流検出器、アナログ−デジタル変換回路、フィルター、接触位置計算器、インターフェースコントローラ、マイクロプロセッサをオフして前記第二クロック生成器及び計時回線を有効化するステップとを含むことを特徴とする省エネルギー方法。
【請求項２】
前記静電容量式タッチパネル装置はさらに位相同期回路を含んで、前記ステップ（ｂ）はさらに、前記位相同期回路を有効化するステップを含むことを特徴する前記請求項１記載の省エネルギー方法。
【請求項３】
前記ステップ（ｄ）後、さらに前記計時回線で前記静電容量式タッチパネルが接触されない時間は第二設定時間を過ぎたことを確認したと、前記信号生成器、電流検出器及び制御論理回路を有効化するステップ（ｅ）を含むことを特徴する前記請求項１記載の省エネルギー方法。
【請求項４】
前記静電容量式タッチパネル装置はさらにインターフェースコントローラを含んで、前記ステップ（ｂ）はさらに、前記インターフェースコントローラを有効化して前記物体が前記静電容量式タッチパネルに接触位置をホストに転送することを特徴する前記請求項１記載の省エネルギー方法。
【請求項５】
物体の接触を受けるタッチパネルに接続されるタッチパネルコントローラであって、
第一クロック信号を生成する第一クロック生成器と、
第二クロック信号を生成する第二クロック生成器と、
第一クロック生成器と第二クロック生成器に接続されるマルチプレクサと、
前記物体がタッチパネルに接触するか否かを検出するパネルのタッチ検知／検出装置と、
前記タッチパネルの操作を制御するマイクロプロセッサとを含んで、前記タッチパネルが正常モード及び省エネルギーモードを有し、正常モードの場合に、前記マルチプレクサは第一クロック信号を出力して、省エネルギーモードの場合に、前記マルチプレクサは第二クロック信号を出力することを特徴とするタッチパネルコントローラ。
【請求項６】
前記パネルのタッチ検知／検出装置はさらに、前記タッチパネルに接続され、検出信号生成することにより、前記物体が前記タッチパネルに接触するか否かを検出するために用いられる信号生成器と、
前記タッチパネルに接続され、前記物体が前記タッチパネルに接触したときに、検出電流を検出するために用いられる電流検出器と、
前記検出電流を検出電圧に変換するために用いられる電流−電圧変換回路と含むことを特徴とする前記請求項５記載のタッチパネルコントローラ。
【請求項７】
前記第一クロック生成器は発振器であることを特徴とする前記請求項５記載のタッチパネルコントローラ。
【請求項８】
前記発振器は、前記タッチパネルコントローラに統合されて、或いは前記タッチパネルコントローラに接続される外部の発振器であることを特徴とする前記請求項５記載のタッチパネルコントローラ。
【請求項９】
前記検出電圧をデジタル資料信号に変換するために用いられるアナログ−デジタル変換回路と、前記デジタル資料信号に基いて、前記物体が前記タッチパネルに接触した位置を計算するために用いられる接触位置計算器とをさらに含むことを特徴とする前記請求項５記載のタッチパネルコントローラ。
【請求項１０】
前記タッチパネル装置は正常モードの場合に、前記信号生成器、電流検出器、電流−電圧変換回路、アナログ−デジタル変換回路及び接触位置計算器がオンすることを特徴とする前記請求項１８記載のタッチパネルコントローラ。
【請求項１１】
前記タッチパネル装置は省エネルギーモードの場合に、前記アナログ−デジタル変換回路及び接触位置計算器がオフすることを特徴とする前記請求項５記載のタッチパネルコントローラ。
【請求項１２】
前記マルチプレクサ及び前記第一クロック生成器に接続され、正常モードの場合に、前記第一クロック信号を逓倍する位相同期回路をさらに含むことを特徴とする前記請求項５記載のタッチパネルコントローラ。
【請求項１３】
前記省エネルギーモードは休止期間及び短いアクティブ期間を有することを特徴とする前記請求項５記載のタッチパネルコントローラ。
【請求項１４】
前記タッチパネル装置はさらに、前記タッチパネル装置は省エネルギーモードの場合に、前記タッチパネルが接触されない時間は、前記休止期間の第一設定時間、或いは前記短いアクティブ期間の第二設定時間とを一致するかを計算する前記第二クロック生成器に接続される計時回線を含むことを特徴とする前記請求項１３記載のタッチパネルコントローラ。
【請求項１５】
前記タッチパネル装置はさらに、前記マイクロプロセッサが接続して制御することで、前記計時回線を管理する制御論理回路を含むことを特徴とする前記請求項１４記載のタッチパネルコントローラ。
【請求項１６】
前記信号生成器、電流検出器、電流−電圧変換回路及び制御論理回路は、短いアクティブ期間に有効化されることを特徴とする前記請求項１５記載のタッチパネルコントローラ。
【請求項１７】
前記アナログ−デジタル変換回路に接続され、前記正常モードの場合、有効化され、前記デジタル資料信号をフィルトして復調するフィルターとを含むことを特徴とする前記請求項５記載のタッチパネルコントローラ。
【請求項１８】
前記正常モードの場合、有効化され、前記接触位置をホストに転送するインターフェースコントローラをさらに含むことを特徴とする前記請求項５記載のタッチパネルコントローラ。
【請求項１９】
前記インターフェースコントローラは、ＵＳＢ規格、ＲＳ２３２規格或いはＳＰＩ規格のデータ伝送コントローラであることを特徴とする前記請求項１８記載のタッチパネルコントローラ。
【発明の詳細な説明】
【技術分野】
【０００１】
本発明は静電容量式タッチパネル装置及びその方法に関し、特に選択的に省エネルギー静電容量式タッチパネル装置及びその方法に関する。
【背景技術】
【０００２】
進歩の功能を有する表示装置は現在電子製品の特点特色である。特に液晶表示器は各種類の電子設備、たとえテレビ、携帯、個人情報端末（ＰＤＡ）、デジタルカメラ、パソコン監視器またはノートのディスプレイに広範的に運用される高解像度のディスプレイである。
【０００３】
現在の液晶表示器は携帯及び使用の便利のため、使用者の直接接触で制御できる液晶表示器は市場開発の方向である。従来の光学式タッチパネルは液晶表示器の周りに光源及び光学検知素子を設けられて、これら光学検知素子で対応光源を検知することによって、接触のタッチ位置の座標を判断する。しかしながら、こいう設計は製品の体積が大幅に大きくなった。一般の携帯用の液晶表示器に適用しない。また他の種類の液晶表示器としては抵抗膜式タッチパネルまたはまたは静電容量式タッチパネルである。パネルの上に、例え液晶表示パネル（Ｌｉｑｕｉｄ  Ｃｒｙｓｔａｌ  Ｄｉｓｐｌａｙ，  ＬＣＤ）またはＣＲＴディスプレイ（Ｃａｔｈｏｄｅ  Ｒａｙ  Ｔｕｂｅ  Ｄｉｓｐｌａｙ，  ＣＲＴ  Ｄｉｓｐｌａｙ）の上に余分な抵抗膜式タッチパネルまたは静電容量式タッチパネルを設置しなければいけない。接触のタッチ位置の電圧変化を介して、接触のタッチ位置をが判断される。しかしながら、タッチパネルが直接表示パネルの上に設けられるため、パネルの光透過率が下げる。
【０００４】
図１を参照して、図１は従来技術の静電容量式タッチパネル装置の構成を示す略図である。静電容量式タッチパネル装置１０は、クロック生成器１、静電容量式タッチパネル６及びタッチパネルコントローラ８を含む。タッチパネルコントローラ８は、位相同期回路２、論理回路７、信号生成器４及び電流検出器５を有する。クロック生成器１は水晶発振器（ｃｒｙｓｔａｌ  ｏｓｃｉｌｌａｔｏｒ）であることができ、としては外部のクロック生成器を使用して、他の回路にシステムクロック信号を提供する。静電容量式タッチパネル６が使用される時、信号生成器４は検出信号を提供し、使用者の指が静電容量式タッチパネル６に接触するか否かを検知する。同時に、電流検出器５は使用者の指が静電容量式タッチパネル６に接触するとき、検出電流を検知した。論理回路７はインターフェースコントローラ３を有し、電流検出器５の検出電流に基づいて、静電容量式タッチパネル６の接触位置を判断して、ホストに転送することができる。かつて静電容量式タッチパネル装置１０はセットアップした後、静電容量式タッチパネル装置１０内部の回路は、絶えずに操作の状態のままで使用者の指が静電容量式タッチパネル６に接触するか否かを検知している。しかしながら、大半の時間に全部の回路を操作状態に維持したら、大部分の電力の消耗は無用なった。その欠点に鑑み、環境保護の時代中、省エネルギー静電容量式タッチパネル装置を生産できることは、努力を要する技術開発の方向である。
【発明の概要】
【発明が解決しようとする課題】
【０００５】
本発明は省エネルギー静電容量式タッチパネル装置及びその方法を提供することを課題とする。
【課題を解決するための手段】
【０００６】
そこで、本発明者は従来の技術に見られる欠点に鑑みて鋭意研究を重ねた結果、下記の装置によって、本発明の課題が解決される点に着眼し、かかる知見に基づき本発明を完成させた。
【０００７】
以下、本発明について具体的に説明する。
【０００８】
本発明の目的は、省エネルギー静電容量式タッチパネル装置及び省エネルギー方法を提供することである。前記省エネルギー静電容量式タッチパネル装置は、第一クロック生成器、第二クロック生成器、位相同期回路、マルチプレクサ、計時回線、信号生成器、電流検出器、電流−電圧変換回路、アナログ−デジタル変換回路、フィルター、制御論理回路、インターフェースコントローラ、マイクロプロセッサ及び接触位置（ｔｏｕｃｈｉｎｇ  ｐｏｓｉｔｉｏｎ）計算器を含む。静電容量式タッチパネルは物体の接触を受ける。第一クロック生成器は第一クロック信号を生成する。第二クロック生成器は第二クロック信号を生成する。位相同期回路はもっと高いクロック周波数を静電容量式タッチパネル装置に提供する。マルチプレクサは前記第一クロック生成器及び第二クロック生成器に接続され、前記静電容量式タッチパネル装置は正常モードの場合に、第一クロック信号または前記位相同期回路のクロック信号を出力し、且つ前記静電容量式タッチパネル装置は省エネルギーモードの場合に、第二クロック信号を出力して、第一クロック信号の出力を停止する。計時回線は静電容量式タッチパネル装置が省エネルギーモードの場合に、第二クロック信号の出力時間を計算して、制御信号を制御論理回路に提供することによって、省エネルギーの効能ができる。制御論理回路は、各ユニットの間の連絡と、静電容量式タッチパネル装置の制御機能を提供する。信号生成器は、静電容量式タッチパネルに接続され、検出信号生成することにより、使用者の指が静電容量式タッチパネルに接触するか否かを検出する。電流検出器も前記静電容量式タッチパネルに接続され、静電容量式タッチパネルが接触されたときに、検出電流を検知する。電流−電圧変換回路は検出電流を検出電圧に変換する。アナログ−デジタル変換回路は前記検出電圧をデジタル資料（Ｄａｔａ）に変換する。フィルターは変換されたデジタル資料をフィルト処理して、そのデジタル資料中のノイズを除去する。接触位置計算器は、使用者の指が前記静電容量式タッチパネルに接触した位置を計算する。マイクロプロセッサは静電容量式タッチパネル装置の全部ユニットの功能を処理する。インターフェースコントローラは前記接触位置の資料をホストに転送してシステムに使用される。前記省静電容量式タッチパネル装置は正常モードの場合に、前記第一クロック生成器、第二クロック生成器、位相同期回路、マルチプレクサ、計時回線、信号生成器、電流検出器、電流−電圧変換回路、アナログ−デジタル変換回路、フィルター、制御論理回路、インターフェースコントローラ、マイクロプロセッサ及び接触位置計算器がオンして有効化される。前記静電容量式タッチパネル装置は省エネルギーモードの場合に、前記第一クロック生成器、位相同期回路、アナログ−デジタル変換回路、フィルター、インターフェースコントローラ、マイクロプロセッサ及び接触位置計算器がオフする。
【０００９】
本発明によって、静電容量式タッチパネル装置を制御する省エネルギー方法も提供され、前記静電容量式タッチパネル装置は、静電容量式タッチパネルと、第一クロック生成器と、信号生成器と、電流検出器と、電流−電圧変換回路と、アナログ−デジタル変換回路と、制御論理回路と、フィルターと、接触位置計算器とを含み、
（ａ）第二クロック信号と計時回線を提供するステップと、
（ｂ）前記静電容量式タッチパネル装置は正常モードの場合に、前記第一クロック生成器と、信号生成器と、電流検出器と、電流−電圧変換回路と、アナログ−デジタル変換回路と、フィルターと、接触位置計算器とを有効化するステップと、
（ｃ）前記静電容量式タッチパネルが接触されない時間は所定時間を過ぎたことを確認したと、前記静電容量式タッチパネル装置は省エネルギーモードになって、前記第一クロック生成器、前記アナログ−デジタル変換回路と、フィルターと、接触位置計算器をオフし、前記第二クロック生成器及び計時回線を有効化するステップと、
（ｄ）前記計時回線によって、前記省エネルギーモードの短いアクティブ期間及び休止期間を計時し、前記短いアクティブ期間内で、前記信号生成器、電流検出器、電流−電圧変換回路及び制御論理回路が有効化され、ある実施例中、アナログ−デジタル変換回路も有効化されてよい、前記静電容量式タッチパネルに接触されるか否かを検出し、前記休止期間期間内で、前記信号生成器、電流検出器、アナログ−デジタル変換回路、フィルター、接触位置計算器、インターフェースコントローラ、マイクロプロセッサをオフして前記第二クロック生成器及び計時回線を有効化する。
【発明の効果】
【００１０】
本発明によって、静電容量式タッチパネル装置は正常モードになると、静電容量式タッチパネルが接触されるか否か時間を検知する。所定時間を過ぎたを確認したと、省エネルギーモードになる。電力消費量は高いの外部の第一クロック生成器と位相同期回路を切って、省エネルギーの第二クロック生成器を切り替える。休止期間の第一設定時間を過ぎた後、短いアクティブ期間に入る。そのとき、信号生成器、電流検出器、電流−電圧変換回路及び制御論理回路がオンして、定時的に静電容量式タッチパネルに接触されるか否かを検知する。静電容量式タッチパネルに接触された後、また外部の第一クロック生成器と位相同期回路からクロック信号を静電容量式タッチパネル装置の全部回路、ユニットに提供される。故に本発明による省エネルギーモードでは、、静電容量式タッチパネル装置内部の部分回路に内部の省エネルギーの第二クロックを提供することによって、有効的に電力消費量を下げて、省エネルギーの目的を達成する。
【図面の簡単な説明】
【００１１】
【図１】従来技術の静電容量式タッチパネル装置の構成を示す略図である。
【図２】本発明の静電容量式タッチパネル装置の構成を示す略図である。
【図３】本発明の静電容量式タッチパネル装置の操作を示すフローチャートである。
【図４】本発明の静電容量式タッチパネル装置は省エネルギーモードに入るタイミング図である。
【発明を実施するための形態】
【００１２】
本発明前記の目的をもっと容易に分かるように、好もしい実施例を挙げて、下記のように図面と配合して具体的に説明する。
図２を参照して説明する。図２は本発明の静電容量式タッチパネル装置２００の構成を示す略図である。静電容量式タッチパネル装置２００は、第一クロック生成器１００、タッチパネルコントローラ２０２及び静電容量式タッチパネル１１４を有する。タッチパネルコントローラ２０２は位相同期回路（Ｐｈａｓｅ  Ｌｏｃｋ  Ｌｏｏｐ，  ＰＬＬ）１０１、第二クロック生成器１０２、マルチプレクサ（ｍｕｌｔｉｐｌｅｘｅｒ，ＭＵＸ）１０３、計時回線１０４、制御論理回路１０５、信号生成器１０６、電流検出器１０７、電流−電圧変換回路１０８、アナログ−デジタル変換回路１０９、フィルター１１０、接触位置計算器１１１、インターフェースコントローラ１１２及びマイクロプロセッサ１１３を統合して有する。第一クロック生成器１００は、外部クロック発生器用の水晶発振器（ｃｒｙｓｔａｌ  ｏｓｃｉｌｌａｔｏｒ）であり、他の回路に第一クロック信号を提供する。静電容量式タッチパネル装置２００は、たまにより高い周波数で操作する。そのとき、位相同期回路１０１でクロック信号を逓倍することが必要である。より高い周波数で操作は必要ではなければ、位相同期回路１０１が要なくても、直接に第一クロック生成器１００から他の回路にクロック信号が提供されてもよい。第二クロック生成器１０２は第二クロック信号を提供するために用いられる。静電容量式タッチパネル装置２００は省エネルギーモードの場合に、タッチパネルコントローラ２０２内部の部分の回路に用いられるための第二クロック信号を提供する。静電容量式タッチパネル１１４は使用者の指等の物件で接触されることができる。接触位置計算器１１１は接触の位置を計算して、静電容量式タッチパネル装置２００に出力する。タッチパネルコントローラ２０２内部の各回路の操作方式は後に詳しく説明する。
【００１３】
図３を参照するとともに、図２を参照して、図３は本発明の静電容量式タッチパネル装置２００の操作を示すフローチャートである。本発明の方法は下記のステップを含む：
ステップ３００：セットアップ。
ステップ３０１：第一クロック生成器１００及び位相同期回路１０１をオン（有効化）する。
ステップ３０２：第二クロック生成器１０２をオンする。
ステップ３０３：第一クロック生成器１００及び／または位相同期回路１０１から提供されるクロック信号を切り替える。
ステップ３０４：静電容量式タッチパネル装置２００の他の回路を全てオンする。
ステップ３０５：物体が静電容量式タッチパネル１１４に接触するか否かを検知する。ＹＥＳの場合に、ステップ３１８へ進み、ＮＯの場合に、ステップ３０６へ進む。
ステップ３０６：省エネルギーモードの条件と一致するか否かことを確認する。ＹＥＳの場合に、ステップ３０７へ進み、ＮＯの場合に、ステップ３０５へ戻る。
ステップ３０７：第二クロック生成器１０２から提供される第二クロック信号を切り替える。
ステップ３０８：計時回線１０４をオンする。
ステップ３０９：休止期間を設定する。
ステップ３１０：第二クロック生成器１０２及び計時回線１０４以外の回路をオフ（電源を切る）する。
ステップ３１１：休止期間の設定時間と一致するか否かを確認する。ＹＥＳの場合に、ステップ３１２へ進み、ＮＯの場合に、ステップ３１１を重複する。
ステップ３１２：第二クロック生成器１０２、計時回線１０４、制御論理回路１０５、信号生成器１０６、電流検出器１０７及び電流−電圧変換回路１０８をオンする。
ステップ３１３：第一クロック生成器１００、位相同期回路１０１、アナログ−デジタル変換回路１０９、フィルター１１０、接触位置計算器１１１、インターフェースコントローラ１１２及びマイクロプロセッサ１１３をオフする。
ステップ３１４：短いアクティブ期間を設定する。
ステップ３１５：物体が静電容量式タッチパネル１１４に接触するか否かを検知する。ＹＥＳの場合に、ステップ３１７へ進み、ＮＯの場合に、ステップ３１６へ進む。
ステップ３１６：短いアクティブ期間の設定時間と一致するか否かを確認する。ＹＥＳの場合に、ステップ３０９へ戻る、ＮＯの場合に、ステップ３１１を重複する。
ステップ３１７：位相同期回路１０１をオンして、またステップ３０３へ戻る。
ステップ３１８：接触位置をホストに転送して、またステップ３０５へ戻る。
【００１４】
静電容量式タッチパネル装置２００はセットアップした（ステップ３００）後、第一クロック生成器１００及び位相同期回路１０１をオンして（ステップ３０１）、且つ第二クロック生成器１０２をオンする（ステップ３０２）。そのとき、マルチプレクサ１０３は第一クロック生成器１００及び／または位相同期回路１０１から提供されるクロック信号を切り替えて（ステップ３０３）、静電容量式タッチパネル装置２００の各回路に提供する。この段階で、静電容量式タッチパネル装置２００は正常モードである（すなわち第一モード）。ある実施例中、正常モード中の第二クロック生成器１０２はマイクロプロセッサ１１３から提供される適当の校正によって、より正しいクロック周波数をもらえて、後の省エネルギーモードが必要なクロック周波数である。正常モードの場合に、静電容量式タッチパネル装置２００の各回路を全てオンする（ステップ３０４）。ステップ３０５中、使用者の指などの物体が静電容量式タッチパネル１１４に接触するか否かを検知することが開始する。信号生成器１０６は静電容量式タッチパネル１１４の四つの隅の検出信号を提供する。使用者の指が静電容量式タッチパネル１１４に接触した後、電流検出器１０７は指の接触位置に基づいて、四つの隅の各検出電流を検知する。電流−電圧変換回路１０８は検出された電流を検出電圧に変換する。アナログ−デジタル変換回路１０９は検出電圧をデジタル資料（ｄａｔａ）に変換する。フィルター１１０は前記デジタル資料をフィルト（ｆｉｌｔｅｒ）して復調（ｄｅｍｏｄｕｌａｔｅｄ）して、接触位置計算器１１１へ転送する。接触位置計算器１１１はデジタル資料信号に基づいて、前記物体が前記タッチパネルに接触した位置を計算する。最後に、インターフェースコントローラ１１２は計算された接触位置をホストに転送する（ステップ３１８）。一般的に、インターフェースコントローラ１１２はＵＳＢ規格、ＲＳ２３２規格或いはＳＰＩ規格などのデータ伝送コントローラである。そのとき、マイクロプロセッサ１１３は静電容量式タッチパネル装置２００の操作を制御する。制御論理回路１０５は、マイクロプロセッサ１１３または計時回線１０４の制御で、信号生成器１０６、アナログ−デジタル変換回路１０９、フィルター１１０及び接触位置計算器１１１を制御する信号を生成する。
【００１５】
ご注意して、正常モードの場合に、全く回路は第一クロック生成器１００及び位相同期回路１０１から第一クロックに基づいて操作する。このとき、静電容量式タッチパネル装置２００の電力消費量は一番高い。ある実施例中、より高い周波数で操作する必要がないので、位相同期回路１０１が要なくてもよい。
【００１６】
図４を参照して、図４は本発明の静電容量式タッチパネル装置は省エネルギーモードに入るタイミング図である。所定時間（例えば１５分）以内で静電容量式タッチパネル１１４が使用者の指で接触されないと、静電容量式タッチパネル装置２００は省エネルギーモードに入る。そのとき、マルチプレクサ１０３は第二クロック生成器１０２から提供される第二クロック信号を切り替えて（ステップ３０７）、計時回線１０４をオンする（ステップ３０８）。省エネルギーモードは休止期間（ｐａｕｓｅ  ｔｉｍｅ）及び短いアクティブ期間（ｓｈｏｒｔ  ａｃｔｉｖｅ  ｔｉｍｅ）を有する。静電容量式タッチパネル装置２００は省エネルギーモードに入るとき、最初で休止期間に入る（ステップ３０９）。第二クロック生成器１０２及び計時回線１０４以外の全部回路が電源を切ることにより、省エネルギーの目的を達成する（ステップ３１０）。休止期間は第一設定時間Ａ（例えば３５０ｍｓ）を超え過ぎ後、第二クロック生成器１０２、計時回線１０４、制御論理回路１０５、信号生成器１０６、電流検出器１０７及び電流−電圧変換回路１０８を有効化する。ステップ３１２に示すように、そのときの第一クロック生成器１００、位相同期回路１０１、アナログ−デジタル変換回路１０９、フィルター１１０、接触位置計算器１１１、インターフェースコントローラ１１２及びマイクロプロセッサ１１３がまたオフの状態である（ステップ３１３）。
【００１７】
次に、静電容量式タッチパネル装置２００は短いアクティブ期間に入る。ステップ３１４に示すように、短いアクティブ期間の設定時間Ｂは好ましくは第一設定時間Ａより短くてよい。短いアクティブ期間中、計時回線１０４により、物体が静電容量式タッチパネル１１４に接触するか否かを検知する。そのときの制御論理回路１０５、信号生成器１０６、電流検出器１０７及び電流−電圧変換回路１０８はまたオンの正常状態にする。信号生成器１０６は検出信号を検知して、電流検出器１０７が検出電流を検知したと、前記検出電流は所定値であれば、静電容量式タッチパネル１１４に接触されたことを確認する。静電容量式タッチパネル装置２００の電源がオンとなって、第一クロック生成器１００及び位相同期回路１０１が有効化される（ステップ３１７）。マルチプレクサ１０３はまた外部の第一クロック生成器１００及び位相同期回路１０１から提供される第一クロック信号を切り替えて、全くタッチパネルコントローラ２０２の回路に提供する。その後、静電容量式タッチパネル装置２００は正常モードに復旧させる。タッチパネルコントローラ２０２全部の回路もオンして操作を復旧させる。短いアクティブ期間の第二設定時間Ｂ（例えば３ｍｓ）を超え過ぎ後、電流検出器１０７が所定値である検出電流を検知しないと、静電容量式タッチパネル１１４に接触されないことを確認する。次に、静電容量式タッチパネル装置２００は再度休止期間に入る。
【００１８】
前述のように、静電容量式タッチパネル装置２００はセットアップして、正常モードに入る後、静電容量式タッチパネル１１４に接触されるか否か時間を検知している。所定時間以内で静電容量式タッチパネル１１４が接触されないと、省エネルギーモードに入って、電力消費量は高い外部の第一クロック生成器１００と位相同期回路１０１を省エネルギーの第二クロック生成器１０２に切り替えると、外部の第一クロック生成器１００と位相同期回路１０１をオフする。省エネルギーモードの休止期間が開始した後、第二クロック生成器１０２及び計時回線１０４のみは正常操作して、タッチパネルコントローラ２０２中の全部回路が電源を切ることにより、省エネルギーの目的を達成する。休止期間の第一設定時間超え過ぎた後、静電容量式タッチパネル装置２００は短いアクティブ期間に入って、制御論理回路１０５、信号生成器１０６、電流検出器１０７及び電流−電圧変換回路１０８はまたオンの正常状態にして、静電容量式タッチパネル１１４に接触されるか否かを検知する。静電容量式タッチパネル１１４が接触されたと、静電容量式タッチパネル装置２００はまた外部の第一クロック生成器１００及び位相同期回路１０１からのクロック信号をタッチパネルコントローラ２０２の全部回路に提供する。本発明による省エネルギーモードは電力消費量が低い内部の第二クロック生成器１０２から第二クロック信号をタッチパネルコントローラ２０２内部の有効化される回路に提供する。故に有効的に電力消費量を下げて、省エネルギーの目的を達成する。ご注意して、本発明は、静電容量式タッチパネルを限定することではない、抵抗膜式タッチパネルまたは他の種類のタッチパネルも適用することができる。
【００１９】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【符号の説明】
【００２０】
１０、２００    静電容量式タッチパネル装置
７            論理回路
１００        第一クロック生成器
８、２０２    タッチパネルコントローラ
２、１０１    位相同期回路
１０２        第二クロック生成器
１０３        マルチプレクサ
１０４        計時回線
１０５        制御論理回路
４、１０６    信号生成器
５、１０７    電流検出器
１０８        電流−電圧変換回路
１０９        アナログ−デジタル変換回路
１１０        フィルター
１１１        接触位置計算器
３、１１２    インターフェースコントローラ
１１３        マイクロプロセッサ
６、１１４    静電容量式タッチパネル
【図１】
2010198596.tif 000003
【図２】
2010198596.tif 000004
【図３】
2010198596.tif 000005
【図４】
2010198596.tif 000006